(57)【特許請求の範囲】
【請求項１】
入力された交流電力を全波整流するダイオードブリッジと、
前記ダイオードブリッジの交流入力端間と直流出力端間とのいずれかに互いに直列に接続された２個の入力コンデンサと、
前記ダイオードブリッジの直流出力端間に互いに直列に接続された２個のスイッチング素子と、
前記入力コンデンサ間の接続点と前記スイッチング素子間の接続点との間に接続された一次巻線とタップを有する二次巻線とを有するトランスと、
それぞれアノードとカソードとのうちの一方であって互いに共通の一方が前記二次巻線の一端ずつに接続された２個の出力ダイオードと、
各前記出力ダイオードのアノードとカソードとのうちの他方に一端が接続されるとともに他端が前記二次巻線のタップに接続された出力コンデンサと、
２個の前記スイッチング素子を交互にオンオフ駆動する制御回路と、
２個の前記スイッチング素子の直列回路に並列に接続されたスナバコンデンサとを備えることを特徴とする電源装置。
【請求項２】
入力された交流電力を全波整流するダイオードブリッジと、
前記ダイオードブリッジの交流入力端間と直流出力端間とのいずれかに互いに直列に接続された２個の入力コンデンサと、
前記ダイオードブリッジの直流出力端間に互いに直列に接続された２個のスイッチング素子と、
前記入力コンデンサ間の接続点と前記スイッチング素子間の接続点との間に接続された一次巻線とタップを有する二次巻線とを有するトランスと、
それぞれアノードとカソードとのうちの一方であって互いに共通の一方が前記二次巻線の一端ずつに接続された２個の出力ダイオードと、
各前記出力ダイオードのアノードとカソードとのうちの他方に一端が接続されるとともに他端が前記二次巻線のタップに接続された出力コンデンサと、
２個の前記スイッチング素子を交互にオンオフ駆動する制御回路と、
前記出力コンデンサの両端に入力端が接続されたＤＣ−ＤＣコンバータとを備えることを特徴とする電源装置。
【請求項３】
入力された交流電力を全波整流するダイオードブリッジと、
前記ダイオードブリッジの交流入力端間と直流出力端間とのいずれかに互いに直列に接続された２個の入力コンデンサと、
前記ダイオードブリッジの直流出力端間に互いに直列に接続された２個のスイッチング素子と、
前記入力コンデンサ間の接続点と前記スイッチング素子間の接続点との間に接続された一次巻線とタップを有する二次巻線とを有するトランスと、
それぞれアノードとカソードとのうちの一方であって互いに共通の一方が前記二次巻線の一端ずつに接続された２個の出力ダイオードと、
各前記出力ダイオードのアノードとカソードとのうちの他方に一端が接続されるとともに他端が前記二次巻線のタップに接続された出力コンデンサと、
２個の前記スイッチング素子を交互にオンオフ駆動する制御回路とを備え、
各前記入力コンデンサの両端間にはそれぞれ抵抗と補助スイッチング素子との直列回路が接続され、
前記制御回路は、前記入力コンデンサ間で両端電圧の平均値を互いに一致させるように、各前記補助スイッチング素子をオンオフ駆動することを特徴とする電源装置。
【請求項４】
入力された交流電力を全波整流するダイオードブリッジと、
前記ダイオードブリッジの交流入力端間と直流出力端間とのいずれかに互いに直列に接続された２個の入力コンデンサと、
前記ダイオードブリッジの直流出力端間に互いに直列に接続された２個のスイッチング素子と、
前記入力コンデンサ間の接続点と前記スイッチング素子間の接続点との間に接続された一次巻線とタップを有する二次巻線とを有するトランスと、
それぞれアノードとカソードとのうちの一方であって互いに共通の一方が前記二次巻線の一端ずつに接続された２個の出力ダイオードと、
各前記出力ダイオードのアノードとカソードとのうちの他方に一端が接続されるとともに他端が前記二次巻線のタップに接続された出力コンデンサと、
２個の前記スイッチング素子を交互にオンオフ駆動する制御回路とを備え、
前記トランスにおいて一次巻線の一端と二次巻線の一端とがコンデンサを介して互いに接続されていることを特徴とする電源装置。
【請求項５】
入力された交流電力を全波整流するダイオードブリッジと、
前記ダイオードブリッジの交流入力端間と直流出力端間とのいずれかに互いに直列に接続された２個の入力コンデンサと、
前記ダイオードブリッジの直流出力端間に互いに直列に接続された２個のスイッチング素子と、
前記入力コンデンサ間の接続点と前記スイッチング素子間の接続点との間に接続された一次巻線とタップを有する二次巻線とを有するトランスと、
それぞれアノードとカソードとのうちの一方であって互いに共通の一方が前記二次巻線の一端ずつに接続された２個の出力ダイオードと、
各前記出力ダイオードのアノードとカソードとのうちの他方に一端が接続されるとともに他端が前記二次巻線のタップに接続された出力コンデンサと、
２個の前記スイッチング素子を交互にオンオフ駆動する制御回路とを備え、
前記２個のスイッチング素子の直列回路において低電圧側となる一端と前記出力コンデンサの一端とがコンデンサを介して互いに接続されていることを特徴とする電源装置。
【請求項６】
入力された交流電力を全波整流するダイオードブリッジと、
前記ダイオードブリッジの交流入力端間と直流出力端間とのいずれかに互いに直列に接続された２個の入力コンデンサと、
前記ダイオードブリッジの直流出力端間に互いに直列に接続された２個のスイッチング素子と、
前記入力コンデンサ間の接続点と前記スイッチング素子間の接続点との間に接続された一次巻線とタップを有する二次巻線とを有するトランスと、
それぞれアノードとカソードとのうちの一方であって互いに共通の一方が前記二次巻線の一端ずつに接続された２個の出力ダイオードと、
各前記出力ダイオードのアノードとカソードとのうちの他方に一端が接続されるとともに他端が前記二次巻線のタップに接続された出力コンデンサと、
２個の前記スイッチング素子を交互にオンオフ駆動する制御回路と、
前記ダイオードブリッジの直流出力端間に互いに直列に接続された２個の第２スイッチング素子と、
前記入力コンデンサの接続点と前記スイッチング素子の接続点との間に接続された一次巻線とタップを有する二次巻線とを有する第２トランスと、
それぞれアノードとカソードとのうちの一方であって互いに共通の一方が前記第２トランスの二次巻線の一端ずつに接続された２個の第２出力ダイオードと、
各前記第２出力ダイオードのアノードとカソードとのうちの他方に一端が接続されるとともに他端が前記第２トランスの二次巻線のタップに接続された第２出力コンデンサとを備え、
前記制御回路は、２個の前記第２スイッチング素子を交互にオンオフ駆動することを特徴とする電源装置。
【請求項７】
前記スナバコンデンサのキャパシタンスは、前記出力コンデンサのキャパシタンスの１００分の１以下であることを特徴とする請求項１〜６のいずれか１項に記載の電源装置。
【請求項８】
前記制御回路は、前記ダイオードブリッジの直流出力端間の電圧と前記スナバコンデンサの両端電圧との比率を一定に維持するように、前記オンオフ駆動の周波数を随時変更することを特徴とする請求項１〜７のいずれか１項に記載の電源装置。
【請求項９】
前記制御回路は、前記ダイオードブリッジの直流出力端間の電圧が分圧された電圧と前記スナバコンデンサの両端電圧が分圧された電圧との比率を一定に維持するように、前記オンオフ駆動の周波数を随時変更することを特徴とする請求項８記載の電源装置。
【請求項１０】
前記制御回路は、前記スナバコンデンサの両端電圧を一定に維持するように、前記オンオフ駆動の周波数を随時変更することを特徴とする請求項８記載の電源装置。
【請求項１１】
請求項１〜１０のいずれか１項に記載の電源装置と、前記電源装置の出力電力により点灯される電気的光源とを備えることを特徴とする照明装置。
【請求項１２】
前記電気的光源として固体発光素子を備えることを特徴とする請求項１１記載の照明装置。
【発明の詳細な説明】
【技術分野】
【０００１】
本発明は、電源装置及びこの電源装置を備えた照明装置に関するものである。
【背景技術】
【０００２】
従来から、図１４に示すように、入力された交流電力を全波整流するダイオードブリッジ２１と、ダイオードブリッジ２１の直流出力を平滑及び電圧変換して出力するＤＣ−ＤＣコンバータ３０とを備える電源装置が提供されている（例えば、特許文献１参照）。ダイオードブリッジ２１は、ＬＣ型のローパスフィルタ２０を介して交流電源６に接続されている。
【０００３】
上記のＤＣ−ＤＣコンバータ３０は、ダイオードブリッジ２１の直流出力端間に接続された２個の入力コンデンサＣａ，Ｃｂの直列回路と、アノードがダイオードブリッジ２１の高電圧側の直流出力端に接続された第１ダイオードＤａと、カソードがダイオードブリッジ２１の低電圧側の直流出力端に接続された第２ダイオードＤｂと、第１ダイオードＤａのカソードと第２ダイオードＤｂとの間に接続された２個のスイッチング素子Ｑａ，Ｑｂの直列回路と、それぞれ１個ずつのスイッチング素子Ｑａ，Ｑｂに並列に且つダイオードブリッジ２１の出力電圧に対して逆向きに接続された２個のダイオードＤｃ，Ｄｄと、入力コンデンサＣａ，Ｃｂの接続点とスイッチング素子Ｑａ，Ｑｂの接続点との間に接続されたインダクタＬ０と、２個のスイッチング素子Ｑａ，Ｑｂの直列回路に並列に接続された出力コンデンサＣ０と、各スイッチング素子Ｑａ，Ｑｂを交互にオンオフ駆動する制御回路（図示せず）とを備え、出力コンデンサＣ０の両端が出力端として負荷Ｚに接続される。
【０００４】
上記のＤＣ−ＤＣコンバータ３０の動作を説明する。上記の制御回路が各スイッチング素子Ｑａ，Ｑｂを交互にオンオフする周波数は、ダイオードブリッジ２１に入力される交流電力の周波数に対して充分に高くされる。すなわち、上記オンオフの１周期中にはダイオードブリッジ２１の直流出力電圧は変化しないものと見なすことができる。
【０００５】
まず、低電圧側のスイッチング素子Ｑｂがオフ状態に維持されたまま、高電圧側のスイッチング素子Ｑａがオンされる。すると、ダイオードブリッジ２１→第１ダイオードＤａ→高電圧側のスイッチング素子Ｑａ→インダクタＬ０→低電圧側の入力コンデンサＣｂ→ダイオードブリッジ２１の経路で電流が流れ、この間、インダクタＬ０にエネルギーが蓄積される。また、低電圧側の入力コンデンサＣｂが充電される。２個の入力コンデンサＣａ，Ｃｂの両端電圧はダイオードブリッジ２１の直流出力端間の電圧に等しいから、低電圧側の入力コンデンサＣｂの充電に伴って高電圧側の入力コンデンサＣａは放電される。
【０００６】
次に、高電圧側のスイッチング素子Ｑａがオフされる。すると、インダクタＬ０に蓄積されたエネルギーが回生され、インダクタＬ０→高電圧側の入力コンデンサＣａ→第１ダイオードＤａ→出力コンデンサＣ０→低電圧側のスイッチング素子Ｑｂに並列に接続されたダイオードＤｄ→インダクタＬ０のループで流れる電流により、出力コンデンサＣ０が充電される。この間、高電圧側の入力コンデンサＣａはさらに放電され、これに伴って低電圧側の入力コンデンサＣｂがさらに充電される。
【０００７】
次に、高電圧側のスイッチング素子Ｑａがオフ状態に維持されたまま、低電圧側のスイッチング素子Ｑｂがオンされる。すると、ダイオードブリッジ２１→高電圧側の入力コンデンサＣａ→インダクタＬ０→低電圧側のスイッチング素子Ｑｂ→第２ダイオードＤｂ→ダイオードブリッジ２１の経路で電流が流れ、この間、インダクタＬ０にエネルギーが蓄積される。また、高電圧側の入力コンデンサＣａが充電され、これに伴って低電圧側の入力コンデンサＣｂは放電される。
【０００８】
次に、低電圧側のスイッチング素子Ｑｂがオフされる。すると、インダクタＬ０に蓄積されたエネルギーが回生され、インダクタＬ０→高電圧側のスイッチング素子Ｑａに並列に接続されたダイオードＤｃ→出力コンデンサＣ０→第２ダイオードＤｂ→低電圧側の入力コンデンサＣｂ→インダクタＬ０のループで流れる電流により、出力コンデンサＣ０が充電される。この間、低電圧側の入力コンデンサＣｂはさらに放電され、これに伴って高電圧側の入力コンデンサＣａがさらに充電される。
【０００９】
以下、同様の動作が繰り返されることで、２個の入力コンデンサＣａ，Ｃｂの直列回路の両端電圧が昇圧された電圧が、出力端（すなわち出力コンデンサＣ０の両端）から出力される。
【００１０】
上記のＤＣ−ＤＣコンバータ３０の出力端間に接続される負荷Ｚは、例えばＤＣ−ＤＣコンバータ３０の出力電力を変換することで生成した交流電力によって放電灯を点灯させるインバータ回路である。
【先行技術文献】
【特許文献】
【００１１】
【特許文献１】特許第２６７７４０６号公報
【発明の概要】
【発明が解決しようとする課題】
【００１２】
しかし、上記のＤＣ−ＤＣコンバータ３０は非絶縁型である。また、昇圧回路であるので、ダイオードブリッジ２１の出力電圧の実効値（すなわち交流電源からの入力電圧の実効値。以下、「実効入力電圧」と呼ぶ。）より低い電圧を得るためには別途の降圧回路が必要となる。
【００１３】
本発明は、上記事由に鑑みて為されたものであり、その目的は、絶縁型であって且つ出力電圧を実効入力電圧よりも低くすることができ且つ入力電流歪の低減が可能な電源装置及びこの電源装置を備えた照明装置を提供することにある。
【課題を解決するための手段】
【００１４】
本発明の電源装置は、入力された交流電力を全波整流するダイオードブリッジと、前記ダイオードブリッジの交流入力端間と直流出力端間とのいずれかに互いに直列に接続された２個の入力コンデンサと、前記ダイオードブリッジの直流出力端間に互いに直列に接続された２個のスイッチング素子と、前記入力コンデンサ間の接続点と前記スイッチング素子間の接続点との間に接続された一次巻線とタップを有する二次巻線とを有するトランスと、それぞれアノードとカソードとのうちの一方であって互いに共通の一方が前記二次巻線の一端ずつに接続された２個の出力ダイオードと、各前記出力ダイオードのアノードとカソードとのうちの他方に一端が接続されるとともに他端が前記二次巻線のタップに接続された出力コンデンサと、２個の前記スイッチング素子を交互にオンオフ駆動する制御回路と、２個の前記スイッチング素子の直列回路に並列に接続されたスナバコンデンサとを備えることを特徴とする。
また、本発明の別の電源装置は、入力された交流電力を全波整流するダイオードブリッジと、前記ダイオードブリッジの交流入力端間と直流出力端間とのいずれかに互いに直列に接続された２個の入力コンデンサと、前記ダイオードブリッジの直流出力端間に互いに直列に接続された２個のスイッチング素子と、前記入力コンデンサ間の接続点と前記スイッチング素子間の接続点との間に接続された一次巻線とタップを有する二次巻線とを有するトランスと、それぞれアノードとカソードとのうちの一方であって互いに共通の一方が前記二次巻線の一端ずつに接続された２個の出力ダイオードと、各前記出力ダイオードのアノードとカソードとのうちの他方に一端が接続されるとともに他端が前記二次巻線のタップに接続された出力コンデンサと、２個の前記スイッチング素子を交互にオンオフ駆動する制御回路と、前記出力コンデンサの両端に入力端が接続されたＤＣ−ＤＣコンバータとを備えることを特徴とする。
さらに、本発明の別の電源装置は、入力された交流電力を全波整流するダイオードブリッジと、前記ダイオードブリッジの交流入力端間と直流出力端間とのいずれかに互いに直列に接続された２個の入力コンデンサと、前記ダイオードブリッジの直流出力端間に互いに直列に接続された２個のスイッチング素子と、前記入力コンデンサ間の接続点と前記スイッチング素子間の接続点との間に接続された一次巻線とタップを有する二次巻線とを有するトランスと、それぞれアノードとカソードとのうちの一方であって互いに共通の一方が前記二次巻線の一端ずつに接続された２個の出力ダイオードと、各前記出力ダイオードのアノードとカソードとのうちの他方に一端が接続されるとともに他端が前記二次巻線のタップに接続された出力コンデンサと、２個の前記スイッチング素子を交互にオンオフ駆動する制御回路とを備え、各前記入力コンデンサの両端間にはそれぞれ抵抗と補助スイッチング素子との直列回路が接続され、前記制御回路は、前記入力コンデンサ間で両端電圧の平均値を互いに一致させるように、各前記補助スイッチング素子をオンオフ駆動することを特徴とする。
また、本発明の別の電源装置は、入力された交流電力を全波整流するダイオードブリッジと、前記ダイオードブリッジの交流入力端間と直流出力端間とのいずれかに互いに直列に接続された２個の入力コンデンサと、前記ダイオードブリッジの直流出力端間に互いに直列に接続された２個のスイッチング素子と、前記入力コンデンサ間の接続点と前記スイッチング素子間の接続点との間に接続された一次巻線とタップを有する二次巻線とを有するトランスと、それぞれアノードとカソードとのうちの一方であって互いに共通の一方が前記二次巻線の一端ずつに接続された２個の出力ダイオードと、各前記出力ダイオードのアノードとカソードとのうちの他方に一端が接続されるとともに他端が前記二次巻線のタップに接続された出力コンデンサと、２個の前記スイッチング素子を交互にオンオフ駆動する制御回路とを備え、前記トランスにおいて一次巻線の一端と二次巻線の一端とがコンデンサを介して互いに接続されていることを特徴とする。
さらに、本発明の別の電源装置は、入力された交流電力を全波整流するダイオードブリッジと、前記ダイオードブリッジの交流入力端間と直流出力端間とのいずれかに互いに直列に接続された２個の入力コンデンサと、前記ダイオードブリッジの直流出力端間に互いに直列に接続された２個のスイッチング素子と、前記入力コンデンサ間の接続点と前記スイッチング素子間の接続点との間に接続された一次巻線とタップを有する二次巻線とを有するトランスと、それぞれアノードとカソードとのうちの一方であって互いに共通の一方が前記二次巻線の一端ずつに接続された２個の出力ダイオードと、各前記出力ダイオードのアノードとカソードとのうちの他方に一端が接続されるとともに他端が前記二次巻線のタップに接続された出力コンデンサと、２個の前記スイッチング素子を交互にオンオフ駆動する制御回路とを備え、前記２個のスイッチング素子の直列回路において低電圧側となる一端と前記出力コンデンサの一端とがコンデンサを介して互いに接続されていることを特徴とする。
また、本発明の別の電源装置は、入力された交流電力を全波整流するダイオードブリッジと、前記ダイオードブリッジの交流入力端間と直流出力端間とのいずれかに互いに直列に接続された２個の入力コンデンサと、前記ダイオードブリッジの直流出力端間に互いに直列に接続された２個のスイッチング素子と、前記入力コンデンサ間の接続点と前記スイッチング素子間の接続点との間に接続された一次巻線とタップを有する二次巻線とを有するトランスと、それぞれアノードとカソードとのうちの一方であって互いに共通の一方が前記二次巻線の一端ずつに接続された２個の出力ダイオードと、各前記出力ダイオードのアノードとカソードとのうちの他方に一端が接続されるとともに他端が前記二次巻線のタップに接続された出力コンデンサと、２個の前記スイッチング素子を交互にオンオフ駆動する制御回路と、前記ダイオードブリッジの直流出力端間に互いに直列に接続された２個の第２スイッチング素子と、前記入力コンデンサの接続点と前記スイッチング素子の接続点との間に接続された一次巻線とタップを有する二次巻線とを有する第２トランスと、それぞれアノードとカソードとのうちの一方であって互いに共通の一方が前記第２トランスの二次巻線の一端ずつに接続された２個の第２出力ダイオードと、各前記第２出力ダイオードのアノードとカソードとのうちの他方に一端が接続されるとともに他端が前記第２トランスの二次巻線のタップに接続された第２出力コンデンサとを備え、前記制御回路は、２個の前記第２スイッチング素子を交互にオンオフ駆動することを特徴とする。
【００１６】
また、この電源装置において、前記スナバコンデンサのキャパシタンスは、前記出力コンデンサのキャパシタンスの１００分の１以下であることを特徴とする。
【００１７】
さらに、この電源装置において、前記制御回路は、前記ダイオードブリッジの直流出力端間の電圧と前記スナバコンデンサの両端電圧との比率を一定に維持するように、前記オンオフ駆動の周波数を随時変更することが望ましい。
【００１８】
また、この電源装置において、前記制御回路は、前記ダイオードブリッジの直流出力端間の電圧が分圧された電圧と前記スナバコンデンサの両端電圧が分圧された電圧との比率を一定に維持するように、前記オンオフ駆動の周波数を随時変更することが望ましい。
【００１９】
さらに、この電源装置において、前記制御回路は、前記スナバコンデンサの両端電圧を一定に維持するように、前記オンオフ駆動の周波数を随時変更することが望ましい。
【００２５】
本発明の照明装置は、上記いずれかの電源装置と、前記電源装置の出力電力により点灯される電気的光源とを備えること特徴とする。
【００２６】
この照明装置において、前記電気的光源として固体発光素子を備えることが望ましい。
【発明の効果】
【００２７】
本発明によれば、トランスにより入出力間の絶縁が達成され、また、トランスの巻数比により、出力電圧を実効入力電圧よりも低くすることができる。さらに、トランスの一次巻線に電流が流れると各入力コンデンサの両端電圧がそれぞれ変化し、これに伴ってダイオードブリッジから電流が連続的に入力されるから、入力電流歪が改善される。
【図面の簡単な説明】
【００２８】
【図１】本発明の実施形態１を示す回路ブロック図である。
【図２】同上における第１ダイオードに流れる電流Ｉｄ１と第２ダイオードに流れる電流Ｉｄ２とダイオードブリッジの出力電流Ｉｄｂとの時間変化を示す説明図である。
【図３】同上におけるダイオードブリッジの直流出力電圧Ｖｄｂとトランスの一次巻線に流れる電流Ｉｔ１との時間変化を示す説明図である。
【図４】本発明の実施形態２を示す回路ブロック図である。
【図５】本発明の実施形態３を示す回路ブロック図である。
【図６】同上の変更例を示す回路ブロック図である。
【図７】同上の別の変更例を示す回路ブロック図である。
【図８】同上の更に別の変更例を示す回路ブロック図である。
【図９】同上の別の変更例を示す回路ブロック図である。
【図１０】同上の更に別の変更例を示す回路ブロック図である。
【図１１】同上の別の変更例の一次側の回路を示す回路ブロック図である。
【図１２】（ａ）（ｂ）はそれぞれ図１１の例における二次側の回路を示す回路図であり、（ａ）はトランスの二次側の回路を示し、（ｂ）は第２トランスの二次側の回路を示す。
【図１３】同上を用いた照明装置の一例を示す分解斜視図である。
【図１４】従来例を示す回路ブロック図である。
【発明を実施するための形態】
【００２９】
以下、本発明を実施するための最良の形態について、図面を参照しながら説明する。
【００３０】
（実施形態１）
本実施形態の電源装置は、図１に示すように、ＬＣ型のローパスフィルタ２０を介して交流電源６から入力された交流電力を全波整流するダイオードブリッジ２１を備える。
【００３１】
また、本実施形態は、ダイオードブリッジ２１の直流出力端間に互いに直列に接続された２個の入力コンデンサＣ１，Ｃ２を備える。さらに、本実施形態は、ダイオードブリッジ２１の高電圧側の直流出力端にアノードが接続された第１ダイオードＤ１と、ダイオードブリッジ２１の低電圧側の直流出力端にカソードが接続された第２ダイオードＤ２と、第１ダイオードＤ１のカソードと第２ダイオードＤ２との間に互いに直列に接続された２個のスイッチング素子Ｑ１，Ｑ２と、入力コンデンサＣ１，Ｃ２の接続点とスイッチング素子Ｑ１，Ｑ２の接続点との間に一次巻線が接続されたトランスＴ１と、各スイッチング素子Ｑ１，Ｑ２を交互にオンオフ駆動する制御回路３とを備える。各スイッチング素子Ｑ１，Ｑ２は、それぞれ寄生ダイオードを有する例えばＭＯＳＦＥＴからなり、寄生ダイオードの向きをダイオードブリッジ２１の直流出力の向きに対して逆向きとして接続されている。
【００３２】
さらに、本実施形態は、トランスＴ１を介して伝送された電力により充電され、両端が出力端として発光ダイオード４などの負荷に接続される出力コンデンサＣ３を備える。出力コンデンサＣ３は例えば電解コンデンサからなる。トランスＴ１の二次巻線にはタップが設けられており、タップに出力コンデンサＣ３の一端が接続されている。さらに、本実施形態は、それぞれアノードがトランスＴ１の二次巻線の一端ずつに接続された２個の出力ダイオードＤ３，Ｄ４を備え、各出力ダイオードＤ３，Ｄ４のカソードはそれぞれ出力コンデンサＣ３の他端に接続されている。そして、出力コンデンサＣ３において、トランスＴ１の二次巻線のタップに接続された上記一端が低電圧側の出力端となり、各出力ダイオードＤ３，Ｄ４のカソードに接続された上記他端が高電圧側の出力端となる。
【００３３】
本実施形態において、出力コンデンサＣ３の両端間には、負荷として固体発光素子の一種である発光ダイオード４が接続されている。ダイオードブリッジ２１の出力電圧の実効値から発光ダイオード４に適した電圧への降圧は、トランスＴ１の巻数比により達成されている。なお、負荷としては発光ダイオード４に代えて例えば有機ＥＬ（図示せず）を接続してもよい。上記のように電気的光源として発光ダイオード４や有機ＥＬのような固体発光素子を用いれば、電気的光源として白熱灯や放電灯を用いる場合に比べて光束当りの消費電力を低減することができる。
【００３４】
制御回路３は、ダイオードブリッジ２１に入力される交流電力の周波数よりも充分に高い周波数で、スイッチング素子Ｑ１，Ｑ２を交互にオンオフ駆動する。この結果、第１ダイオードＤ１に流れる電流Ｉｄ１と、第２ダイオードＤ２に流れる電流Ｉｄ２と、ダイオードブリッジ２１への入力電流（すなわちダイオードブリッジ２１からの出力電流）Ｉｄｂとはそれぞれ図２に示すような波形となる。ダイオードブリッジ２１への入力電流のうち、高周波の成分はローパスフィルタ２０の作用により減衰される。また、図３に示すように、トランスＴ１の一次巻線に流れる電流Ｉｔ１の包絡線は、正負両側についてそれぞれダイオードブリッジ２１の直流出力（脈流出力）の電圧（以下、「整流電圧」と呼ぶ。）Ｖｄｂの波形となる。
【００３５】
上記構成によれば、トランスＴ１により入出力間の絶縁が達成され、また、トランスＴ１の巻数比により、出力電圧を実効入力電圧よりも低くすることができる。さらに、トランスＴ１の一次巻線に電流が流れると各入力コンデンサＣ１，Ｃ２の両端電圧がそれぞれ変化し、これに伴ってダイオードブリッジＤＢから電流が連続的に入力されるから、入力電流歪が改善される。
【００３６】
（実施形態２）
本実施形態の基本構成は実施形態１と共通であるので、共通する部分については説明を省略する。
【００３７】
本実施形態は、図４に示すように、スイッチング素子Ｑ１，Ｑ２の直列回路に並列に接続されたスナバコンデンサＣ４を備える。スナバコンデンサＣ４はスイッチング素子Ｑ１，Ｑ２のオンオフ駆動時に発生するパルスを抑制するものであり、スナバコンデンサＣ４のキャパシタンスは出力コンデンサＣ３のキャパシタンスの１００分の１以下でよい。スナバコンデンサＣ４としてフィルムコンデンサを用いる場合には、スナバコンデンサＣ４として電解コンデンサを用いる場合に比べて小型化が可能である。
【００３８】
また、制御回路３は、スナバコンデンサＣ４の両端電圧（以下、「スナバ電圧」と呼ぶ。）Ｖｓｎの波形を、整流電圧Ｖｄｂの波形と相似にするように、スイッチング素子Ｑ１，Ｑ２のオンオフの周波数を随時変化させる。言い換えると、制御回路３は、スナバ電圧Ｖｓｎを、整流電圧Ｖｄｂの定数倍とするようにフィードバック制御する。
【００３９】
具体的には、制御回路３は、オペアンプＯＰ１と、オペアンプＯＰ１の出力電圧に応じた周波数の出力を生成する電圧制御発振回路３１と、電圧制御発振回路３１の出力をオンデューティ５０％の適宜電圧の矩形波に整形する矩形波生成回路３２とを有する。矩形波生成回路３２の出力は、低電圧側のスイッチング素子Ｑ２のゲートに直接入力されるとともに、否定回路３３を介して高電圧側のスイッチング素子Ｑ１のゲートに入力されている。これにより、スイッチング素子Ｑ１，Ｑ２は電圧制御発振回路３１の出力の周波数で交互にオンオフ駆動される。
【００４０】
また、制御回路３において、オペアンプＯＰ１は、反転入力端子と出力端子とがコンデンサＣｆｂを介して接続されることで積分回路を構成している。さらに、オペアンプＯＰ１において、非反転入力端子には整流電圧Ｖｄｂが抵抗Ｒａ，Ｒｂにより分圧された電圧が抵抗Ｒｅを介して入力され、反転入力端子にはスナバ電圧Ｖｓｎが抵抗Ｒｃ，Ｒｄにより分圧された電圧が抵抗Ｒｆを介して入力されている。
【００４１】
すなわち、制御回路３は、スナバ電圧Ｖｓｎが整流電圧Ｖｄｂに対して低いほど、スイッチング素子Ｑ１，Ｑ２のオンオフの周波数（以下、「動作周波数」と呼ぶ。）を低くする。
【００４２】
本発明者の実験によれば、上記制御により、スナバ電圧Ｖｓｎの波形は整流電圧Ｖｄｂの波形と相似となり、出力コンデンサＣ３の両端電圧は略一定に維持された。
【００４３】
ここで、制御回路３が出力コンデンサＣ３の両端電圧を検出してこれを一定に維持するようにフィードバック制御を行う場合、トランスＴ１の一次側と二次側との間で絶縁性を確保するためには、制御回路３と出力コンデンサＣ３との間に例えばフォトカプラのような部品を挿入する必要がある。これに対し、本実施形態では、出力コンデンサＣ３の両端電圧の検出が行われていないので、フォトカプラのような部品が不要となっている。
【００４４】
なお、制御回路３が、上記のように動作周波数を変更する代わりに、又は上記のような動作周波数の変更に加えて、一方のスイッチング素子Ｑ１のオン状態の継続時間の長さと他方のスイッチング素子Ｑ２のオン状態の継続時間の長さとの比率の変更により上記のフィードバック制御を実現してもよい。このような制御回路３は周知技術で実現可能であるので、詳細な図示並びに説明は省略する。
【００４５】
（実施形態３）
本実施形態の基本構成は実施形態２と共通であるので、共通する部分については説明を省略する。
【００４６】
本実施形態において、スナバコンデンサＣ４としては、例えば電解コンデンサのように、比較的にキャパシタンスが高いものが用いられている。スナバコンデンサＣ４のキャパシタンスは例えば出力コンデンサＣ３と同じとされる。
【００４７】
また、制御回路３は、スナバ電圧Ｖｓｎを一定電圧に維持するようにフィードバック制御する。
【００４８】
具体的には、図５に示すように、制御回路３のオペアンプＯＰ１において、非反転入力端子には所定の参照電圧Ｖｒｅｆが入力されている。また、一端がオペアンプＯＰ１の出力端子に接続されたコンデンサＣｆｂの他端とオペアンプＯＰ１の反転入力端子との間には抵抗Ｒｇが挿入されており、スナバ電圧Ｖｓｎが分圧された電圧は抵抗Ｒｆを介して上記のコンデンサＣｆｂと抵抗Ｒｇとの間に入力されている。
【００４９】
すなわち、制御回路３は、上記の参照電圧Ｖｒｅｆを上記分圧の分圧比で除した目標電圧に対してスナバ電圧Ｖｓｎが低いほど、スイッチング素子Ｑ１，Ｑ２のオンオフの周波数（以下、「動作周波数」と呼ぶ。）を低くする。
【００５０】
本発明者の実験によれば、上記制御により、スナバ電圧Ｖｓｎと出力コンデンサＣ３の両端電圧とはそれぞれ略一定に維持された。
【００５１】
本実施形態でも、実施形態２と同様に、出力コンデンサＣ３の両端電圧の検出が行われていないので、フォトカプラのような部品が不要となっている。
【００５２】
なお、制御回路３が、上記のように動作周波数を変更する代わりに、又は上記のような動作周波数の変更に加えて、一方のスイッチング素子Ｑ１のオン状態の継続時間の長さと他方のスイッチング素子Ｑ２のオン状態の継続時間の長さとの比率の変更により上記のフィードバック制御を実現してもよい。このような制御回路３は周知技術で実現可能であるので、詳細な図示並びに説明は省略する。
【００５３】
また、実施形態１〜３のそれぞれにおいて、図６に示すように、出力コンデンサＣ３の後段にＤＣ−ＤＣコンバータ５を接続してもよい。図６のＤＣ−ＤＣコンバータ５は、周知のバックコンバータにおいて出力端間のコンデンサを削除したような回路である。すなわち、図６のＤＣ−ＤＣコンバータ５は、出力コンデンサＣ３において高電圧側となる一端に一端が接続されたスイッチング素子Ｑ７と、スイッチング素子Ｑ７の他端にカソードが接続されるとともに出力コンデンサＣ３において低電圧側となる一端にアノードが接続されたダイオードＤ７と、このダイオードＤ７の両端間に発光ダイオード４との直列回路として接続されるインダクタＬ１と、スイッチング素子Ｑ７を周期的にオンオフ駆動する駆動回路５１とを備える。駆動回路５１は、例えば光出力を指示する電気信号である調光信号を外部から入力され、調光信号によって指示された光出力が高いほどスイッチング素子Ｑ７のオンデューティを高くすることで発光ダイオード４の光出力を高くする。上記の調光信号は、指示する光出力が高いほどオンデューティが高くされる矩形波（いわゆるＰＷＭ信号）であってもよいし、指示する光出力が高いほど電圧値が高くされるアナログ電圧信号であってもよい。駆動回路５１の電源は、出力コンデンサＣ３の両端電圧を分圧する分圧抵抗Ｒ１１，Ｒ１２と、低電圧側の分圧抵抗Ｒ１２に並列に接続されたツェナーダイオードＺＤとによって生成されている。上記のような駆動回路５１は周知技術で実現可能であるので、詳細な図示並びに説明は省略する。なお、ＤＣ−ＤＣコンバータ５としては上記回路に代えて他の周知の回路を用いてもよい。
【００５４】
ところで、入力コンデンサＣ１，Ｃ２間で、両端電圧の平均値が互いに異なると、一方の入力コンデンサＣ１，Ｃ２の寿命が短くなってしまう可能性がある。そこで、実施形態１〜３のそれぞれにおいて、図７の構成を採用してもよい。すなわち、各入力コンデンサＣ１，Ｃ２にそれぞれスイッチング素子（以下、「補助スイッチング素子」と呼ぶ。）Ｑ３，Ｑ４と抵抗Ｒｂ１，Ｒｂ２との直列回路を並列にする。さらに、制御回路３は、入力コンデンサＣ１，Ｃ２間で両端電圧の平均値を互いに一致させるように、通常はオフ状態に維持される各補助スイッチング素子Ｑ３，Ｑ４を適宜オン制御する。上記のような制御回路３は周知技術で実現可能であるので、詳細な図示並びに説明は省略する。
【００５５】
さらに、実施形態１〜３のそれぞれにおいて、入力コンデンサＣ１，Ｃ２の直列回路をダイオードブリッジ２１の直流出力端間に接続する代わりに、図８に示すように入力コンデンサＣ１，Ｃ２の直列回路をダイオードブリッジ２１の交流入力端間に接続してもよい。この場合、スイッチング素子Ｑ１，Ｑ２の寄生ダイオードを通じた電流の逆流はダイオードブリッジ２１によって阻止されることになるから、第１ダイオードＤ１及び第２ダイオードＤ２をそれぞれ省略することができる。この場合において、ダイオードブリッジ２１としては高速整流素子（ＦＲＤ）で構成されたものが用いられる。
【００５６】
また、実施形態１〜３のそれぞれにおいて、図９や図１０に示すように、トランスＴ１において一次巻線の一端と二次巻線の一端との間や、２個のスイッチング素子Ｑ１，Ｑ２の直列回路において低電圧側となる一端（すなわちグランド）と出力コンデンサＣ３の一端との間を、コンデンサＣｓを介して互いに接続してもよい。この構成を採用すれば、ノイズがコンデンサＣｓを通じて流れることで、全体としてのノイズの強度を抑えることができる。
【００５７】
さらに、実施形態１〜３は、適宜の等価回路への置換も可能である。例えば、二次巻線にタップを有するトランスＴ１を１個用いる代わりに、図１０に示すように一次巻線同士と二次巻線同士とがそれぞれ互いに直列に接続された２個のトランスＴ３，Ｔ４を用いてもよい。この場合、トランスＴ１の二次巻線のタップに代えて、２個のトランスＴ３，Ｔ４の二次巻線間が、出力コンデンサＣ３において低電圧側となる一端に接続される。上記構成を採用すれば、個々のトランスＴ３，Ｔ４については、タップを有するトランスＴ１よりも構造を単純化することができる。
【００５８】
また、実施形態１〜３のそれぞれにおいて、図１１に示すように、伝送及び出力のための回路を２個設けてもよい。図１１の例について具体的に説明すると、２個の第２スイッチング素子Ｑ５，Ｑ６からなる直列回路が、スイッチング素子Ｑ１，Ｑ２の直列回路に並列に接続されている。また、図１１の例は、第２スイッチング素子Ｑ５，Ｑ６の接続点と入力コンデンサＣ１，Ｃ２の接続点との間に一次巻線が接続された第２トランスＴ２を備える。さらに、図１２に示すように、第２トランスＴ２の二次巻線にはタップが設けられており、このタップには例えば電解コンデンサからなる第２出力コンデンサＣ５の一端が接続されている。第２出力コンデンサＣ５の他端は、第２トランスＴ２の二次巻線の両端に対してそれぞれ１個ずつの第２出力ダイオードＤ５，Ｄ６を介して接続されている。第２の出力端となる第２出力コンデンサＣ５の両端間には、別途の発光ダイオード４ａのような負荷を接続することができる。
【００５９】
上記各種の電源装置は、例えば図１３に示すような照明装置７に用いることができる。図１３の照明装置７は、電源装置の各回路部品をそれぞれ収納及び保持したケース７０と、矢印Ａ１で示すように収納されたケース７０を保持するとともに発光ダイオード４，４ａを保持する器具本体７１とを有する。上記のような照明装置７は周知技術で実現可能であるので、詳細な図示並びに説明は省略する。
【符号の説明】
【００６０】
３  制御回路
４，４ａ  発光ダイオード（電気的光源、固体発光素子）
５  ＤＣ−ＤＣコンバータ
７  照明装置
２１  ダイオードブリッジ
Ｃ１，Ｃ２  入力コンデンサ
Ｃ３  出力コンデンサ
Ｃ４  スナバコンデンサ
Ｃ５  第２出力コンデンサ
Ｄ３，Ｄ４  出力ダイオード
Ｑ１，Ｑ２  スイッチング素子
Ｑ３，Ｑ４  補助スイッチング素子
Ｑ５，Ｑ６  第２スイッチング素子
Ｒｂ１，Ｒｂ２  抵抗
Ｔ１，Ｔ３，Ｔ４  トランス
Ｔ２  第２トランス
【図１】
0005551995.tif 000002
【図２】
0005551995.tif 000003
【図３】
0005551995.tif 000004
【図４】
0005551995.tif 000005
【図５】
0005551995.tif 000006
【図６】
0005551995.tif 000007
【図７】
0005551995.tif 000008
【図８】
0005551995.tif 000009
【図９】
0005551995.tif 000010
【図１０】
0005551995.tif 000011
【図１１】
0005551995.tif 000012
【図１２】
0005551995.tif 000013
【図１３】
0005551995.tif 000014
【図１４】
0005551995.tif 000015